(57)【要約】【課題】部分的な交換が可能でかつ取付強度が高い上枠を有した複合サッシの枠体を提供する。【解決手段】上枠２０は、外障子４を案内する外レール２５を有し、室内側端部に平面状の第１面部２１ａを有した金属上枠２１と、金属上枠２１の外レール２５の室内面より室内側を覆い、室内側端部に第１面部２１ａと重合する第２面部２２ａを有した外樹脂上枠２２と、内障子５を案内する内レール２６を有し、内レール２６より室外側に第２面部２２ａに重合する第３面部２３ａを有した補強金属枠２３と、補強金属枠２３の室内露出面を略全面に渡って覆い、第３面部２３ａに重合する第４面部２４ａを有した内樹脂上枠２４とから構成され、第１面部２１ａから第４面部２４ａが重合状態で固定され、内レール２６より室内側で補強金属枠２３と内樹脂上枠２４が重合状態で建物躯体７０に対して固定されてなる。【選択図】図４
2006183373.tif 000002
【特許請求の範囲】
【請求項１】
上下枠及び左右の縦枠を枠組みしてなると共に、各枠は金属枠の室内側露出部分を樹脂枠にて覆ってなり、内部に内外障子を引き違い状に納める複合サッシの枠体において、
上記上枠は、上記外障子を案内する外レールを有し、室内側端部に平面状の第１面部を有した金属上枠と、該金属上枠の外レールの室内面より室内側を覆い、室内側端部に上記金属上枠の第１面部と重合する第２面部を有した外樹脂上枠と、上記内障子を案内する内レールを有し、該内レールより室外側に上記外樹脂上枠の第２面部に重合する第３面部を有した補強金属枠と、該補強金属枠の室内露出面を略全面に渡って覆い、上記補助金属枠の第３面部に重合する第４面部を有した内樹脂上枠と、から構成され、
上記第１面部と第２面部と第３面部及び第４面部が重合状態で固定され、上記内レールより室内側で上記補強金属枠と内樹脂上枠が重合状態で建物躯体に対して固定されることを特徴とする複合サッシの枠体。
【請求項２】
上記外樹脂上枠は第２面部より室外側に当接部を有し、該当接部は上記内樹脂上枠の室外端部に当接すると共に、当接部と内樹脂上枠の室内面を連続状としてなることを特徴とする請求項１記載の複合サッシの枠体。
【請求項３】
上記内樹脂上枠は室内端部から室内側に向かう水平な室内延出部を有してなることを特徴とする請求項１または２記載の複合サッシの枠体。
【発明の詳細な説明】
【技術分野】
【０００１】
本発明は建物躯体の開口部に取付けられ引き違い状の障子を納める複合サッシの枠体に関し、特に金属枠の室内側に樹脂枠を配設してなる複合サッシの枠体に関する。
【背景技術】
【０００２】
従来より、建物躯体の開口部に設けられるサッシについて、金属材から構成される金属枠の室内側に樹脂材から構成される樹脂枠を配設してなる複合枠体を用いることがある。複合枠体を用いることにより、サッシの断熱性を高め、また室内側の意匠性も高めることができる。
【０００３】
サッシの中でも、枠体内に内外障子を引き違い状に納めてなる引き違いサッシにおいては、上下枠にそれぞれ内障子を案内する内レールと外障子を案内する外レールとが形成されている。このうち、複合枠体における上枠は、下枠と縦枠と同様に金属材の室内側露出部分を樹脂材にて被覆して構成される。
【０００４】
複合枠体における上枠の構造としては、例えば特許文献１及び特許文献２に挙げるようなものがある。特許文献１に挙げるサッシの上枠は、金属材に内レールと外レールとを形成し、外レールの室内側及び内レールの全面を一体的な樹脂材にて被覆するようにしている。また、特許文献２に挙げるサッシの上枠は、金属材には外レールのみを形成し、外レールの室内面を覆い内レールを有する第１樹脂材を設け、第１樹脂材の内レールには金属からなる補強材を設け、さらに補強材の室内面を覆うように第２樹脂材を設けている。
【特許文献１】特開平１０−６１３２７号公報
【特許文献２】特許第３３５５５２５号公報
【発明の開示】
【発明が解決しようとする課題】
【０００５】
しかし、特許文献１に記載されているような上枠の場合、内レールが変形するなどして取り替えることが必要になった場合、上枠全体を交換する必要がある。特許文献２に記載されている上枠は、複数部材からなるので上枠全体を交換する必要はないものの、内レールを補強する補強材は室内側部で金属枠に対して固定しているにすぎず、強度が十分ではない。すなわち、複数部材から構成したことにより全体の強度としては低い。また、内レールを２つの樹脂材で構成していることにより、室内側から目に付きやすい内レール表面が分割された外観を有することになり、意匠性の観点からも好ましくない。
【０００６】
本発明は、上記課題を解決すべくなされたものであり、部分的な交換が可能でかつ強度が高い上枠を有した複合サッシの枠体を提供することを目的とする。
【課題を解決するための手段】
【０００７】
上記課題を解決するため、本発明に係る複合サッシの枠体は、上下枠及び左右の縦枠を枠組みしてなると共に、各枠は金属枠の室内側露出部分を樹脂枠にて覆ってなり、内部に内外障子を引き違い状に納める複合サッシの枠体において、
上記上枠は、上記外障子を案内する外レールを有し、室内側端部に平面状の第１面部を有した金属上枠と、該金属上枠の外レールの室内面より室内側を覆い、室内側端部に上記金属上枠の第１面部と重合する第２面部を有した外樹脂上枠と、上記内障子を案内する内レールを有し、該内レールより室外側に上記外樹脂上枠の第２面部に重合する第３面部を有した補強金属枠と、該補強金属枠の室内露出面を略全面に渡って覆い、上記補助金属枠の第３面部に重合する第４面部を有した内樹脂上枠と、から構成され、
上記第１面部と第２面部と第３面部及び第４面部が重合状態で固定され、上記内レールより室内側で上記補強金属枠と内樹脂上枠が重合状態で建物躯体に対して固定されることを特徴として構成されている。
【０００８】
また、本発明に係る複合サッシの枠体は、上記外樹脂上枠は第２面部より室外側に当接部を有し、該当接部は上記内樹脂上枠の室外端部に当接すると共に、当接部と内樹脂上枠の室内面を連続状としてなることを特徴として構成されている。
【０００９】
さらに、本発明に係る複合サッシの枠体は、上記内樹脂上枠は室内端部から室内側に向かう水平な室内延出部を有してなることを特徴として構成されている。
【発明の効果】
【００１０】
本発明に係る複合サッシの枠体によれば、外レールを構成する金属上枠と外樹脂上枠と、内レールを構成する補助金属枠と内樹脂上枠との４部材から構成しているので、内レールのみを交換することが容易にできる。また、内レールの室外側で第１面部から第４面部を重合状態で固定し、内レールの室内側で補助金属枠と内樹脂上枠を重合状態で建物躯体に対して固定することにより、複数部材からなる上枠の強度を高めることができると共に、建物躯体に対しても強固に固定することができ、取付強度を高めることができる。さらに、内樹脂上枠で補助金属枠を略全面覆っているので、室内側から見えやすい内レールについて継ぎ目なく樹脂で覆うことができ、サッシの意匠性を高めることができる。
【００１１】
また、本発明に係る複合サッシの枠体によれば、外樹脂上枠は第２面部より室外側に当接部を有し、当接部は内樹脂上枠の室外端部に当接すると共に、当接部と内樹脂上枠の室内面を連続状としてなることにより、外樹脂上枠から内樹脂上枠に渡って室内面を連続状とすることができるので、断熱性が高く意匠性の高いサッシとすることができる。
【００１２】
さらに、本発明に係る複合サッシの枠体によれば、内樹脂上枠は室内端部から室内側に向かう水平な室内延出部を有してなることにより、サッシの室内側に額縁を設ける場合にその納まりを良好にして、サッシの内観をより向上させることができる。
【発明を実施するための最良の形態】
【００１３】
本発明の実施形態について図面に沿って詳細に説明する。図１は本実施形態における枠体を有するサッシの縦断面図であり、図２はサッシの横断面図である。本実施形態におけるサッシの基本構成は、建物開口部に取付けられる枠体１内に、外障子４と内障子５を引き違い状に納め、さらにその室外側には網戸６を納めてなるものである。
【００１４】
枠体１は、下枠１０と上枠２０及び左右の縦枠３０、３０を方形状に枠組みしてなるものである。各枠材は複合材から構成されており、したがって金属材からなる金属下枠１１と金属上枠２１及び左右の金属縦枠３１、３１を方形状に枠組みしてそれが建物躯体７０に対して固定され、金属下枠１１の室内側には樹脂下枠１２を、金属上枠２１の室内側には樹脂上枠２２を、金属縦枠３１の室内側には樹脂縦枠３２を、それぞれ配設して構成される。ただし、上枠２０については、後述するように４部材から構成している。
【００１５】
枠体１は、その見込方向中間位置に四周に渡って設けられるフィン８が建物躯体７０に当接し、ビス止めされることで固定されている。すなわち、このサッシはいわゆる半外付けサッシである。また、金属下枠１１の室内面下端部には、室内側に向かって突出する固定部１１ｄが形成されており、この固定部１１ｄも建物躯体に対してビス止めされる。
【００１６】
外障子４と内障子５は、横框である下框４０及び上框５０と、左右の縦框６０、６０とを方形状に框組みしてなる框体２の内部に、ガラス体３を納めてなるものである。そして、框体２は、室外側に金属材を配し、室内側に樹脂材を配した複合材からなるものである。すなわち、下框４０は、室外側の金属下框４１と、その室内面に取付けられる樹脂下框４２とから構成され、上框５０は、室外側の金属上框５１と、その室内面に取付けられる樹脂上框５２とから構成され、縦框６０は、室外側の金属縦框６１と、その室内面に取付けられる樹脂縦框６２とから構成される。下框４０の下端部には、戸車４３が設けられて、障子を下枠１０のレール上で走行自在となるようにしている。
【００１７】
次に、枠体１を構成する各枠について説明する。下枠１０を構成する金属下枠１１の上面には、その長手方向略全長に渡って外レール１１ａと内レール１１ｂ及び網戸レール１１ｃが形成されており、外レール１１ａは外障子４を、内レール１１ｂは内障子５を、網戸レール１１ｃは網戸６を、それぞれサッシの長手方向に案内する。
【００１８】
樹脂下枠１２は、金属下枠１１の外レール１１ａと内レール１１ｂの間を覆う中間樹脂下枠１２ａと、金属下枠１１の室内面及び固定部１１ｄの室内面を覆う端面樹脂下枠１２ｂと、内レール１１ｂと金属下枠１１の室内面との間を覆う室内樹脂下枠１３とから構成されている。
【００１９】
中間樹脂下枠１２ａは、外レール１１ａと内レール１１ｂの間のうち、外障子４と内障子５を閉じた状態で室内側に露出する部分のみに設けられる。端面樹脂下枠１２ｂは、上端部が室内樹脂下枠１３に当接しており、また下端部は固定部１１ｄの端部に係合固定されている。また、端面樹脂下枠１２ｂは金属下枠１１の長手方向略全長に渡って設けられる。このようにして端面樹脂下枠１２ｂは金属下枠１１の室内面の断熱性を向上させると共に結露を防止している。さらに、室内樹脂下枠１３は、内レール１１ｂと金属下枠１１の室内面との間に形成される凹部内に納められ、金属下枠１１の室内面よりも室内側に向かって延出する室内延出部１３ａを有してなるものである。
【００２０】
縦枠３０を構成する金属縦枠３１の内周面には、外障子４を閉じた状態でその側面と対向する位置に外突出部３１ａが長手方向略全長に渡って設けられる。また、内障子５を閉じた状態でその側面と対向する位置に内突出部３１ｂが長手方向略全長に渡って設けられる。これらは、外障子４及び内障子５を閉じた際にサッシの気密性及び水密性を確保するために設けられている。
【００２１】
樹脂縦枠３２は、内障子５が閉じた状態でそれと対向する側の金属縦枠３１に対しては、内突出部３１ｂよりも室内側に設けられ、さらに室内側に向かって延出する室内延出部３２ａを有してなる。外障子４が配置される側の金属縦枠３１に取付けられる樹脂縦枠３２は、金属材ができるだけ室内側に露出しないように、内障子５が配置される側の金属縦枠３１に取付けられる樹脂縦枠３２よりも室外側に延長した延長部３２ｂを有して構成される。延長部３２ｂは、外障子４を閉じた状態におけるその室内面の近傍位置まで延長されている。
【００２２】
上枠２０については、金属上枠２１をはじめ４つの部材から構成している。図３には、上枠２０の分解図を示す。また、図４には上枠２０を組み立てた状態の図を示す。上枠２０の最も室外側には、金属上枠２１が設けられる。金属上枠２１には、建物躯体７０に対する固定部であるフィン８が形成され、また室外端部に網戸６を案内する網戸レール２７が形成されると共に、網戸レール２７より室内側に下枠１０の外レール１１ａに対応した外レール２５が形成される。また、金属上枠２１の室内側端部には、平面状の第１面部２１ａが形成されている。さらに、外レール２５の下端部には係合部２５ａが形成されている。
【００２３】
金属上枠２１の室内側には外樹脂上枠２２が配設される。外樹脂上枠２２は、金属上枠２１の外レール２５の下端部である係合部２５ａに係合する被係合部２２ｂを有し、金属上枠２１に取付けられて外レール２５の室内側を構成すると共に、金属上枠２１の外レール２５より室内側の面を略覆っている。また、外樹脂上枠２２には、金属上枠２１の第１面部２１ａと重合する第２面部２２ａが形成されている。
【００２４】
外樹脂上枠２２の室内側には補助金属枠２３が設けられる。補助金属枠２３は、上枠２０の内レール２６を有する断面略Ｔ字状に形成されてなるものである。また、補助金属枠２３には、内レール２６よりも室外側に外樹脂上枠２２の第２面部２２ａと重合する第３面部２３ａが形成されている。
【００２５】
また、補助金属枠２３の略全面を覆うように内樹脂上枠２４が設けられる。内樹脂上枠２４は、補助金属枠２３の内レール２６を両面とも被覆し、さらに補助金属枠２３の室内側部をも被覆すると共に、室内側に延出する室内延出部２４ｃを有してなるものである。そして、内レール２６を被覆する部分よりも室外側には、補助金属枠２３の第３面部２３ａと重合する第４面部２４ａが形成されている。
【００２６】
図３に示すように、金属上枠２１に対し外樹脂上枠２２を取付けて第１面部２１ａと第２面部２２ａを重合させ、そこに補助金属枠２３を取付けて第２面部２２ａと第３面部２３ａを重合させ、さらに内樹脂上枠２４を取付けて第３面部２３ａと第４面部２４ａを重合させ、第１面部２１ａから第４面部２４ａまでをビス２８により固定する。また、補助金属枠２３と内樹脂上枠２４は、内レール２６よりも室内側において、ネジ２９により建物躯体７０に対して固定される。
【００２７】
上枠２０を構成する４部材について、内レール２６の室外側で第１面部２１ａから第４面部２４ａまでを重合状態で固定し、内レール２６の室内側で補助金属枠２３と内樹脂上枠２４を重合状態で建物躯体７０に対して固定することにより、４部材からなる上枠２０を強固に固定することができると共に、建物躯体７０に対しても強固に固定することができ、上枠２０の取付強度を高めることができる。また、内樹脂上枠２４で内レール２６を有する補助金属枠２３を略全面覆っているので、室内側から見えやすい内レール２６について継ぎ目なく樹脂で覆うことができ、サッシの意匠性を高めることができる。
【００２８】
また、外樹脂上枠２２には内樹脂上枠２４と当接する当接部２２ｃが形成されており、内樹脂上枠２４にはそれに対応して被当接部２４ｂが形成されている。図４に示すように、当接部２２ｃと被当接部２４ｂは、互いに当接して外樹脂上枠２２と内樹脂上枠２４の室内面を連続状となるようにしている。これにより、外樹脂上枠２２から内樹脂上枠２４に渡って室内面を連続状とでき、上枠２０において連続的な断熱性を確保できると共に、上枠２０の意匠性を向上させることができる
【００２９】
次に、サッシの建物開口部に対する納まりについて説明する。図１に示すように、下枠１０については、金属下枠１１のフィン８と、端面樹脂下枠１２ｂと固定部１１ｄの重合部分にて建物躯体７０に対してビス止めがなされる。
【００３０】
また、下枠１０の室内面より室内側には、木製の下額縁材７３が設けられる。下額縁材７３は、平板状であってその上面が室内樹脂下枠１３の室内延出部１３ａの上面と同一平面状とされている。そして、室内樹脂下枠１３の室内延出部１３ａと下額縁材７３はネジ止めにより固定されている。端面樹脂下枠１２ｂは、金属下枠１１の室内側面を覆うと共に、その上端部が下額縁材７３に当接している。すなわち、端面樹脂下枠１２ｂは金属下枠１１が下額縁材７３に触れないように被覆しており、下枠１０の断熱性を高める機能を有している。
【００３１】
建物躯体７０の室外側であって下枠１０の室外部下方には、外壁７１が配置される。また、建物躯体７０の室内側であって下額縁材７３の下方には、下額縁材７３と当接するように内壁７２が配置される。
【００３２】
上枠２０については、金属上枠２１のフィン８が建物躯体７０に対してビス止めされると共に、上述のように内レール２６より室内側であって補助金属枠２３と内樹脂上枠２４とが重合状態となっている部分において建物躯体７０に対してビス止めがなされている。また、下枠１０と同様に、内樹脂上枠２４の室内側には上額縁材７４が設けられ、室内延出部２４ｃの下面と上額縁材７４の下面とが同一平面状とされている。
【００３３】
縦枠３０については、金属縦枠３１のフィン８が建物躯体７０に対してビス止めされ、樹脂縦枠３２と金属縦枠３１とが重合状態で建物躯体７０に対してビス止めされている。また、樹脂縦枠３２の室内側には縦額縁材７５が設けられ、室内延出部３２ａの内側面と縦額縁材７５の内側面とが同一平面状とされている。
【００３４】
下枠１０には室内延出部１３ａが、上枠２０には室内延出部２４ｃが、そして縦枠３０には室内延出部３２ａが、それぞれ形成されていることにより、サッシの室内側に設けられる額縁材の納まりを良好にすることができ、室内側から見たサッシの意匠性を向上させることができる。
【００３５】
以上、本発明の実施形態について説明したが、本発明の適用はこの実施形態には限られず、その技術的思想の範囲内であれば様々に適用されうる。
【図面の簡単な説明】
【００３６】
【図１】本実施形態における枠体を用いたサッシの縦断面図である。
【図２】本実施形態における枠体を用いたサッシの横断面図である。
【図３】上枠の分解図である。
【図４】上枠を組み立てた状態の拡大図である。
【符号の説明】
【００３７】
１    枠体
２    框体
３    ガラス体
４    外障子
５    内障子
１０    下枠
２０    上枠
２１    金属上枠
２１ａ  第１面部
２２    外樹脂上枠
２２ａ  第２面部
２２ｂ  被係合部
２２ｃ  当接部
２３    補助金属枠
２３ａ  第３面部
２４    内樹脂上枠
２４ａ  第４面部
２４ｂ  被当接部
２４ｃ  室内延出部
２５    外レール
２６    内レール
３０    縦枠
７０    建物躯体
【図１】
2006183373.tif 000003
【図２】
2006183373.tif 000004
【図３】
2006183373.tif 000005
【図４】
2006183373.tif 000006